(57)【要約】【課題】  メンテナンスが可能であって、且つメンテナンス作業が容易に行える熱交換用埋設管を提供すること。【解決手段】  地中の熱を利用するために、少なくとも一部を地中に埋設して用いる熱交換用埋設管１であって、前記埋設管１は、地中に埋設された側の開口が閉塞されており、前記埋設された側とは反対側の上部開口を塞ぐ閉塞部材９を有し、例えば、前記埋設された側とは反対側の埋設管１の上部側面に、熱媒体が流動する配管２を前記埋設管１内外へ案内し且つ保護するための切欠部３を設けたことを特徴とする。【選択図】    図１
2008202936.tif 000002
【特許請求の範囲】
【請求項１】
地中の熱を利用するために、少なくとも一部を建物の基礎下である地中に埋設して基礎杭として用いる熱交換用埋設管であって、
前記埋設管は、地中に埋設された側の開口が閉塞されており、前記埋設された側とは反対側の上部開口を塞ぐ閉塞部材を有し、
前記埋設された側とは反対側の埋設管の上部側面または前記閉塞部材の側面に、熱媒体が流動する配管を前記埋設管内外へ案内し且つ保護するためのガイド部を設けたことを特徴とする熱交換用埋設管。
【請求項２】
前記ガイド部は、前記埋設管の上端部を切り欠いて設けた切欠部、または前記埋設管の上部側面を穿設した孔部であることを特徴する請求項１に記載の熱交換用埋設管。
【請求項３】
前記ガイド部は、前記閉塞部材の側面を切り欠いて設けた切欠部、または前記閉塞部材の側面を穿設した孔部であることを特徴する請求項１に記載の熱交換用埋設管。
【発明の詳細な説明】
【技術分野】
【０００１】
本発明は、地中の熱を空調、輻射冷暖房、給湯等に利用するために、地中に埋設して用いる熱交換用埋設管に関するものである。
【背景技術】
【０００２】
地中の温度は、一年間を通じて温度変化が少なく、比較的安定している。そのため、例えば日本の気候においては、地中の温度は、夏季は外気温に対して低く、冬季は外気温に対して高い。そこで、建物の基礎下に埋設されている基礎杭を利用して、地中と地上との間で熱交換を行うことにより、空調等の熱源として利用する装置が提案されている。
【０００３】
例えば、特許文献１には、基礎下に埋設された基礎杭の内部に配管をし、その管内に水などを通して熱交換を行う技術が開示されている。この特許文献１では、杭内部に配管した熱交換用配管は、杭頭からそのまま外部に引き出され、杭頭上の建物の基礎に一体に設けられている。
【０００４】
また、特許文献２には、建築物の施工の際に、地中に打ち込まれる中空の基礎杭と、この基礎杭の中空内に熱媒体を注入し又は基礎杭の中空内から熱媒体を抽出する空調装置を具備する地中蓄熱装置が開示されている。この特許文献２でも、基礎杭の中空内部から延びる熱媒体伝熱管は、杭頭からそのまま上部に引き出され、杭頭上の建物の基礎マットに一体に設けられている。
【０００５】
【特許文献１】特開平１−１２３９５１号公報
【特許文献２】特開平８−１８４０６３号公報
【発明の開示】
【発明が解決しようとする課題】
【０００６】
しかしながら、上記特許文献１に開示されている技術では、建物の基礎下に埋設された基礎杭を用いており、更にその杭頭からそのまま上部に引き出した配管を基礎と一体に設けているため、例えば、杭内部に配設された配管の劣化や目詰まりには対処できず、メンテナンス性については考慮されていなかった。
【０００７】
また、上記特許文献２では、杭頭の開口上にあたる建物基礎部分に開口があり、該開口から上部に配管が引き出された状態が図示されているが、ベタ基礎以外の基礎形態（たとえば、布基礎、独立基礎）では、杭頭上部の基礎に開口を設けることは基礎の強度上困難なことが多く、仮に開口を設けることが可能であったとしても、基礎上部に配管が引き出されることによって、メンテナンス用の空間を設ける必要が生じ、基礎上部空間の用途に制約が生じてしまうという問題がある。
【０００８】
そこで、本発明は、上記課題に鑑みてなされたものであり、その目的とするところは、メンテナンスが可能であって、且つメンテナンス作業が容易に行え、さらには、埋設管上部の空間の用途に制約が少なく、有効に利用しやすい熱交換用埋設管を提供するものである。
【課題を解決するための手段】
【０００９】
上記目的を達成するための本発明の代表的な構成は、地中の熱を利用するために、少なくとも一部を建物の基礎下である地中に埋設して基礎杭として用いる熱交換用埋設管であって、前記埋設管は、地中に埋設された側の開口が閉塞されており、前記埋設された側とは反対側の上部開口を塞ぐ閉塞部材を有し、前記埋設された側とは反対側の埋設管の上部側面または前記閉塞部材の側面に、熱媒体が流動する配管を前記埋設管内外へ案内し且つ保護するためのガイド部を設けたことを特徴とする。
【００１０】
上記構成によれば、埋設管の上部開口あるいは前記ガイド部から、埋設管内外への配管の出し入れや埋設管内部の充填材の補充・交換が可能となるため、管内部に配した配管等に問題が生じた場合にメンテナンスを行うことができ、且つそのメンテナンス作業を容易に行うことができる。また、埋設管への配管作業の際に、配管は前記ガイド部に案内され、また前記ガイド部によって配管を一時的に保持することも可能となるため、配管作業が容易となり、配管作業に要する時間も短縮できる。また、埋設管の上部に荷重がかかる場合であっても、配管は前記ガイド部によって保護されるため、埋設管上部にかかる荷重によって配管がつぶれてしまうのを防止することができる。また、埋設管の上部開口は閉塞部材によって閉塞されるため、埋設管の上部開口から埋設管内部へ土等が侵入するのを防止することができる。また、配管は前記ガイド部により埋設管の側面または閉塞部材の側面から外部へ引き出され、埋設管上部から突出しないため、埋設管を基礎下以外の場所に配置した場合にあっては、埋設管上部の空間を有効に利用することができる。
【００１１】
具体的には、例えば、前記ガイド部を、前記埋設管の上端部を切り欠いて設けた切欠部、または前記埋設管の上部側面を穿設した孔部とすることにより、上述した作用・効果が得られる。
【００１２】
あるいは、前記ガイド部を、前記閉塞部材の側面を切り欠いて設けた切欠部、または前記閉塞部材の側面を穿設した孔部とすることによっても、同様に上述した作用・効果が得られる。
【発明の効果】
【００１３】
以上説明したように、本発明によれば、埋設管の上部開口あるいは配管を埋設管内外へ案内し保護するためのガイド部を通して、埋設管内外への配管の出し入れや埋設管内部の充填材の補充・交換が可能となるため、管内部に配した配管等に問題が生じた場合にメンテナンスを行うことができ、且つそのメンテナンス作業を容易に行うことができる。また、埋設管への配管作業の際に、配管は前記ガイド部に案内され、また前記ガイド部によって配管を一時的に保持することも可能となるため、配管作業が容易となり、配管作業に要する時間も短縮できる。また、埋設管の上部に荷重がかかる場合であっても、配管は前記ガイド部によって保護されるため、埋設管上部にかかる荷重によって配管がつぶれてしまうのを防止することができる。また、埋設管の上部開口は閉塞部材によって閉塞されるため、埋設管の上部開口から埋設管内部へ土等が侵入するのを防止することができる。また、配管は前記ガイド部により埋設管の側面または閉塞部材の側面から外部へ引き出され、埋設管上部から突出しないため、埋設管を基礎下以外の場所に配置した場合にあっては、埋設管上部の空間を有効に利用することができる。
【００１４】
具体的には、例えば、前記ガイド部を、前記埋設管の上端部を切り欠いて設けた切欠部、または前記埋設管の上部側面を穿設した孔部とすることにより、上述した作用・効果が得られる。
【００１５】
あるいは、前記ガイド部を、前記閉塞部材の側面を切り欠いて設けた切欠部、または前記閉塞部材の側面を穿設した孔部とすることによっても、同様に上述した作用・効果が得られる。
【発明を実施するための最良の形態】
【００１６】
以下、図面を参照して、本発明に係る熱交換用埋設管の好適な実施の形態を例示的に詳しく説明する。
【００１７】
本発明に係る熱交換用埋設管は、地中の熱を利用するために、少なくとも一部を地中に埋設して用いる熱交換用埋設管である。この少なくとも一部を地中に埋設した熱交換用埋設管とは、管全体が地中に埋設されている埋設管や、一部が外部に露出するように地中に埋設されている埋設管などを含むものである。
【００１８】
また、本発明に係る熱交換用埋設管としては、例えば、建物の基礎に用いられる、鋼管杭、コンクリートパイル、ソイルセメント柱体と鋼管杭を一体化させたソイルセメント合成杭等の既成杭が挙げられる。なお、本発明に係る熱交換用埋設管は、前述した既成杭に限定されるものではなく、少なくとも一部を地中に埋設して地中の熱を利用するために用いる埋設管であれば、その他の埋設管であっても構わない。
【００１９】
前述したような熱交換用埋設管を地中熱利用装置で用いる場合には、前記熱交換用埋設管の中空内部に熱交換用の配管を配置し、この配管と埋設管本体の空間に充填材を適宜充填し、前記配管内を熱媒体を流動させることによって地中の熱を利用するように構成する。
【００２０】
なお、前記熱交換用の配管を通す熱媒体としては、水、オイル、不凍液、空気などが挙げられる。また、熱交換用の配管と埋設管本体の空間を埋める充填材としては、水、オイル、不凍液、砂、砂利、軽量気泡コンクリートの粉砕物、金属片、鋼球、ステンレス製の球体などが挙げられるが、中でも水、オイル、不凍液が特に好ましい。
【００２１】
本発明に係る熱交換用埋設管は、地中に埋設された側の開口が閉塞されている。この地中に埋設された側の埋設管開口を閉塞する方法としては、埋設管の埋設前に予め埋設管の先端もしくは途中を蓋、障壁等の閉塞部材により閉塞しておくことが最も好ましいが、埋設管の埋設後にセメント、接着剤等を埋設管の内部から先端に落とし込んで閉塞することも可能である。
【００２２】
更に、本発明に係る熱交換用埋設管は、前記埋設された側とは反対側の上部開口を塞ぐ閉塞部材を有し、前記埋設された側とは反対側の埋設管の上部側面に、熱媒体が流動する配管を前記埋設管内外へ案内し且つ保護するためのガイド部を設けた構成となっている。この熱交換用埋設管の構成について、図面を用いて具体的に例示して説明する。
【００２３】
例えば、図１（ａ）に示すように、本発明に係る熱交換用埋設管１は、該埋設管１に配管２が設置された後に埋設管上部開口を塞ぐ着脱可能な閉塞部材９を有している。更に埋設管１の上部側面には、配管２を埋設管内外へ案内し且つ保護するためのガイド部として、埋設管１の上端部を切り欠いた切欠部３が設けられている。
【００２４】
このように、埋設管１の上部側面にガイド部としての切欠部３を設けることにより、管内部の配管を交換する際には、着脱可能な閉塞部材９を取り外せば上部開口からの配管２の出し入れや埋設管内部の充填材の補充・交換が可能となるため、管内部に配した配管の劣化や目詰まりに対処することができるなど、メンテナンスが可能となり、且つメンテナンス作業を容易に行うことができる。
【００２５】
また、埋設管１への配管作業の際に、配管２は前記切欠部３に案内され、また前記切欠部３によって配管２を一時的に保持することも可能となるため、埋設管内外への配管の出し入れや配管が複数部材からなる場合の接続作業などの配管作業が容易となり、配管作業に要する時間も短縮できる。
【００２６】
更に、埋設管１の上部に荷重がかかる場合であっても、配管２は前記切欠部３によって保護されているため、埋設管１上部にかかる荷重によって配管２がつぶれてしまうのを防止することができる。
【００２７】
また、埋設管１の上部開口は閉塞部材９によって閉塞されるため、埋設管１の上部開口から埋設管１内部へ土等が侵入するのを防止することができる。また、配管２は前記ガイド部としての切欠部３により埋設管１の側面から外部へ引き出され、埋設管１上部から突出しないため、特に埋設管１を基礎下以外の場所に配置した場合にあっては、埋設管上部の空間を有効に利用することができる。
【００２８】
なお、前記ガイド部としての切欠部の形状は、図１（ａ）に示す形状に限定されるものではなく、配管２を埋設管１内外へ案内し且つ保護する形状、大きさであればどよのうな形状であっても良い。
【００２９】
上述した実施の形態では、本発明に係る熱交換用埋設管が有するガイド部として、図１に示すような埋設管上端部を切り欠いて埋設管の上部側面に設けた切欠部３を例示したが、本発明はこれに限定されるものではない。
【００３０】
例えば、熱交換用埋設管１が有するガイド部は、図２（ａ）に示すように、前記埋設管１の上部側面を穿設した孔部４であっても良い。このように構成することによっても前述した実施の形態と同様の作用・効果が得られる。
【００３１】
更に、図２（ｂ）に示すように、前記埋設管１の孔部４に筒状の案内部材１２を設けた構成としても良い。このように構成することで、配管２との間の空隙を粘着テープ等で容易に塞ぐことができる。
【００３２】
また、前記埋設管１の上部開口を塞ぐ閉塞部材９は、図１（ａ）に示すように埋設管１の上部側面に覆い被さる着脱式の閉塞部材９に限定されるものではなく、例えば図１（ｂ）に示すように埋設管１の上部開口に挿入する着脱式の閉塞部材１０であっても良い。この閉塞部材１０の場合、挿入部分１０ａにネジが切ってある構成としても良い。また埋設管１を基礎下に設ける場合などは図１（ｂ）に示すような閉塞部材１１を埋設管１の上部開口に溶接して閉塞する構成としても良い。これら閉塞部材の材質は、埋設管と同一素材あるいはプラスチックであっても良い。
【００３３】
また、前述した実施の形態では、前記埋設された側とは反対側の埋設管１の上部側面に切欠部３や孔部４等のガイド部を設けた構成を例示したが、本発明はこれに限定されるものではない。例えば、前記埋設管の上部開口を塞ぐ閉塞部材の側面に、配管を埋設管内外へ案内し且つ保護するためのガイド部を設けた構成としても良い。
【００３４】
具体的には、前記閉塞部材の側面に設けるガイド部としては、図３（ａ）に示すように閉塞部材５の側面を切り欠いて設けた切欠部５ａであっても良し、あるいは図３（ｂ）に示すように閉塞部材６の側面を穿設した孔部６ａであっても良い。
【００３５】
このように構成することにより、各閉塞部材５，６の側面にそれぞれガイド部としての切欠部５ａ，孔部６ａを設けることにより、管内部の配管を交換する際には、着脱可能な閉塞部材５，６を取り外せば上部開口からの配管２の出し入れや埋設管内部の充填材の補充・交換が可能となるため、管内部に配した配管の劣化や目詰まりに対処することができるなど、メンテナンスが可能となり、且つメンテナンス作業を容易に行うことができる。
【００３６】
また、埋設管１の上部に荷重がかかる場合であっても、配管２は前記切欠部５ａ，孔部６ａによって保護されているため、埋設管１上部にかかる荷重によって配管２がつぶれてしまうのを防止することができる。
【００３７】
また、埋設管１の上部開口は閉塞部材５，６によって閉塞されるため、埋設管１の上部開口から埋設管１内部へ土等が侵入するのを防止することができる。また、配管２は前記ガイド部としての切欠部５ａ，孔部６ａにより閉塞部材５，６の側面から外部へ引き出され、埋設管１上部から突出しないため、特に埋設管１を基礎下以外の場所に配置した場合にあっては、埋設管上部の空間を有効に利用することができる。
【００３８】
更には前記埋設管の上部開口を塞ぐ閉塞部材を用いて、該閉塞部材の側面に前記切欠部５ａや孔部６ａ等のガイド部を設けた構成とすることにより、前記ガイド部を有さない既存の埋設管を用いることができ、また前記既存の埋設管を利用する場合に加工の必要がなく、且つ前記ガイド部を有する専用の別部材を別途設ける必要がないので、その分コストアップを防げる。
【００３９】
なお、本発明に係る熱交換用埋設管として、建物の基礎に用いる既成杭としての鋼管杭が利用可能であることは前述したが、この鋼管杭を熱交換用埋設管として用いる場合は、杭本体の外周に、杭本体外径より大きい外径（具体的には１．５〜３倍程度）を有する翼巾の杭ねじ込み用螺旋翼を有する鋼管杭を用いることが好ましい。また前記鋼管杭の施工方法は、残土の発生がない回転埋設方式で行うことが好ましい。前記鋼管杭を回転埋設方式で施工することにより、埋設時に掘削軟化した土砂を排土せずに杭側面に押圧し圧縮するため、杭周縁の土砂の密度が高くなり、熱伝導率は上がる。このため、熱交換の効率は良くなる。
【００４０】
また、熱交換用埋設管の内部に設置する熱交換用の配管は、図４に示すように、埋設管内に熱媒体を流入する送り管２ａと管内から熱媒体を流出する還り管２ｂを備えている。また、埋設管内の熱交換用の配管は、図４（ａ）に示すように前記送り管２ａと前記還り管２ｂが別個に設けられ埋設管１内の前記管２ａ，２ｂ端部が充填材（熱媒体と同じもの）で満たされている構成でも良いが、図４（ｂ）に示すように前記送り管２ａと前記還り管２ｂが連続的につながっている構成の方が好ましい。
【００４１】
また、前記埋設管内の熱交換用の配管は、凹凸のない配管に比べて単位長さ当たりの表面積が大きく、また折り曲げ加工が容易な配管を使用することが好ましい。特に図４（ｃ）に示すように管壁形状が長さ方向に波型をしたフレキシブルパイプなどの蛇腹状の配管２を使用することが好ましく、吸熱面積の増大と折り曲げ加工が容易である。この配管を使用することにより、施工時に埋設管内へ熱交換用の配管を入れる場合でも、埋設管内で熱交換用の配管を繋ぐ必要はなく、折り返し部分で専用のＵ字管を用意する必要もない。また配管２を図４（ｃ）に示すように波型形状とすることによって、配管内部では該内部を通る熱媒体の流れは乱流となり、熱交換の効率はさらに高くなる。
【００４２】
また、熱交換用の配管の材質は、金属製、プラスチック製のものを任意に用いればよいが、好ましいものは、金属製の配管で、銅管、ステンレス管、アルミ管、および鋼管等が挙げられる。この中でも、特に好ましいものはステンレス管である。また、１本の埋設管の内部に通す配管の本数は複数本であっても良い。
【００４３】
また、埋設管内の配管の形状は、通常の凹凸のないもの、図４（ｃ）に示すような管壁形状が長さ方向に波型をした蛇腹状のもの（フレキシブルパイプなど）、配管周面に放熱板（フィン）を取り付けたもの等が挙げられる。特に好ましいものは、前述したように蛇腹状の配管であり、凹凸の形状が熱交換の表面積を広げ、かつ配管内の熱媒体の流れが乱流となるため、熱交換効率が上がる。また、フレキシブルパイプなどの蛇腹状の配管は巻物であるため、施工現場までの運搬が簡単であり、折れ曲げ加工性に優れているため、埋設管内外への出し入れ等の施工性に優れている。
【００４４】
なお、前述した本発明に係る熱交換用埋設管を用いて地中熱利用装置としてシステムを構築する場合、例えば、図５に示すように、前述したような熱交換用埋設管１の他に、熱交換用埋設管１の配管２、建物内の配管７、配管内の熱媒体を循環させるための循環用ポンプ８等が挙げられる。循環用ポンプ８は、配管内の熱媒体を循環するのに十分な能力を備えているものであれば良い。建物内に配管を設置する場所としては、壁、床、天井、屋根、基礎等が挙げられる。また、この建物内の配管は、床暖房温水パネル等のパネル内に組み込まれていても構わない。また、建物内の配管と熱交換用埋設管の配管は配管によって連結しても良いし、或いは、必要に応じて建物内の配管と熱交換用埋設管からの配管との間に地中から得た熱を熱源として利用するボイラーやヒートポンプ等をシステムとして組み入れても構わない。建物内の配管と熱交換用埋設管の配管を連結する配管は、材質、配管径に関しては、使用態様に応じ任意に決めれば良い。
【００４５】
前述した本発明に係る熱交換用埋設管を地中熱利用装置に用いる場合、その埋設管は、前述したように地盤改良のために建物の基礎の下に埋設されている基礎杭を利用しても良いし、建物の基礎の下以外の場所に、埋設した埋設管を利用しても良い。
【００４６】
例えば、図６に示すように、建物の基礎１３下に埋設されている基礎杭を前記熱交換用埋設管１として利用する場合には、前記ガイド部として、大きな１つの切欠部３を設けた構成とする。この場合、建物基礎１３下に埋設された埋設管１（基礎杭）は大きな力のかかるところであるため、埋設管１の上部開口を塞ぐ閉塞部材は、剛性が高く図６に示す如く基礎１３を広く受ける形状の閉塞部材１１を用いて、該閉塞部材１１を埋設管上部に溶接した構成とする。このように構成することによって、基礎１３下に設けた埋設管１であっても、管内部の配管２を交換する際には、配管ピット１４から前記切欠部３を通して埋設管１内外への配管２の出し入れや埋設管内部の充填材の補充・交換が可能となるため、管内部に配した配管の劣化や目詰まりに対処することができるなど、メンテナンスが可能となり、且つメンテナンス作業を容易に行うことができる。
【００４７】
また、基礎の下以外の場所の例を挙げると、基礎下以外の建物の下や、庭等の建物周縁の空き地、道路、駐車場等がある。このような場所であっても、管内部の配管２を交換する際には、埋設管の上部開口または前述のガイド部から配管の出し入れが可能となるため、管内部に配した配管の劣化や目詰まりに対処することができるなど、メンテナンスが可能となり、且つメンテナンス作業を容易に行うことができる。
【産業上の利用可能性】
【００４８】
本発明の活用例として、地中の熱を空調、輻射冷暖房、給湯等に利用するために、地中に埋設して用いる熱交換用埋設管に適用出来る。
【図面の簡単な説明】
【００４９】
【図１】本発明に係る熱交換用埋設管が有する切欠部を示す模式図
【図２】本発明に係る熱交換用埋設管が有する孔部を示す模式図
【図３】本発明に係る熱交換用埋設管が有するガイド部材を示す模式図
【図４】熱交換用の配管の一例を示す模式図
【図５】地中熱利用装置のシステム構成の一例を示す模式図
【図６】本発明に係る熱交換用埋設管を建物基礎下に配置した構成の一例を示す模式図
【符号の説明】
【００５０】
１…熱交換用埋設管
２…熱交換用の配管
２ａ…送り管
２ｂ…還り管
３…切欠部
４…孔部
５…閉塞部材
５ａ…切欠部
６…閉塞部材
６ａ…孔部
７…配管
８…循環用ポンプ
９…閉塞部材
１０…閉塞部材
１０ａ…挿入部分
１１…閉塞部材
１２…案内部材
１３…基礎
１４…配管ピット
【図１】
2008202936.tif 000003
【図２】
2008202936.tif 000004
【図３】
2008202936.tif 000005
【図４】
2008202936.tif 000006
【図５】
2008202936.tif 000007
【図６】
2008202936.tif 000008